(57)【要約】【課題】街の景観を損ねることなく設置スペースや電源の確保を容易にできるサイネージ装置をすることである。【解決手段】静止画情報や動画情報などの公共表示情報を表示するディスプレイ装置１６を収納する筐体１２を路上電気設備１１の上面に架台１４を介して取り付け、ディスプレイ装置１６の表示面が透明部材の背面に位置するように固定金具２２によりディスプレイ装置１６を筐体１２内に固定し、ディスプレイ装置１６や予め保存した公共表示情報をディスプレイ装置１６に表示するセットトップボックス２４に電源を供給する電源線１８を収納する脚部１３を路上電気設備の側面に沿って上部は筐体１２に取り付け下部は高さを調整するアジャスター１９を介して路上電気設備１１の設置面に配置し、脚部１３には、路上電気設備１１の近傍の地下に埋設された配電線から電源線１８を引き出して収納する。【選択図】  図１
2018010241.tif 000002
【特許請求の範囲】
【請求項１】
静止画情報や動画情報などの公共表示情報を表示するディスプレイ装置と、
前面に透明部材が配置されるとともに背面に給排気ファンが配置され路上電気設備の上面に架台を介して取り付けられ前記ディスプレイ装置を収納する筐体と、
前記ディスプレイ装置の表示面が前記透明部材の背面に位置するように前記ディスプレイ装置を前記筐体内に固定するための固定金具と、
前記路上電気設備の側面に沿って上部は前記筐体に取り付けられ下部は高さを調整するアジャスターを介して前記路上電気設備の設置面に設置され前記路上電気設備の近傍の地下に埋設された配電線から引き出された電源線を収納する脚部と、
前記脚部内に配置され予め保存した前記公共表示情報を前記ディスプレイ装置に表示するためのセットトップボックスとを備え、前記電源線は、前記ディスプレイ及び前記セットトップボックスに電源を供給することを特徴とするサイネージ装置。
【請求項２】
前記筐体内にネットワークを介してサーバーと通信を行う通信機器を設け、前記通信機器には前記電源線から電源が供給され、前記セットトップボックスは、前記通信機器により前記ネットワークを介してサーバーから受信した公共表示情報を前記ディスプレイ装置に表示することを特徴とする請求項１に記載のサイネージ装置。
【請求項３】
前記筐体内にネットワークを介してサーバーと通信を行う通信機器を設けるとともに前記脚部内に環境データ取得装置を設け、前記通信機器及び前記環境データ取得装置には前記電源線から電源が供給され、前記セットトップボックスは、前記環境データ取得装置で取得した環境データを前記通信機器により前記ネットワークを介して前記サーバーに送信することを特徴とする請求項１または請求項２に記載のサイネージ装置。
【発明の詳細な説明】
【技術分野】
【０００１】
本発明は、ディスプレイ装置に静止画情報や動画情報などの公共表示情報を表示するサイネージ装置に関する。
【背景技術】
【０００２】
一般に、サイネージ装置には自立式のサイネージ装置や壁掛け式のサイネージ装置がある。自立式のサイネージ装置として、液晶表示デバイスなどの電子的な表示デバイスのディスプレイ装置に広告画像を表示し、不特定の多数の人間の目に付くような状態で設置されるものがある（例えば、特許文献１参照）。
【先行技術文献】
【特許文献】
【０００３】
【特許文献１】特開２０１４−１５７５７５号公報
【発明の概要】
【発明が解決しようとする課題】
【０００４】
しかし、特許文献１のものは、サイネージ装置を設置するにあたり基礎部や本体部が必要となるので、設置箇所での設置スペースの確保が必要となる。また、サイネージ装置の電源が必要なことから別途電源の確保も必要となる。さらには、サイネージ装置単体での設置となるので、街の景観を損ねる恐れもあることから設置箇所が限定される。
【０００５】
本発明の目的は、街の景観を損ねることなく設置スペースや電源の確保を容易にできるサイネージ装置を提供することである。
【課題を解決するための手段】
【０００６】
請求項１の発明に係るサイネージ装置は、静止画情報や動画情報などの公共表示情報を表示するディスプレイ装置と、前面に透明部材が配置されるとともに背面に給排気ファンが配置され路上電気設備の上面に架台を介して取り付けられ前記ディスプレイ装置を収納する筐体と、前記ディスプレイ装置の表示面が前記透明部材の背面に位置するように前記ディスプレイ装置を前記筐体内に固定するための固定金具と、前記路上電気設備の側面に沿って上部は前記筐体に取り付けられ下部は高さを調整するアジャスターを介して前記路上電気設備の設置面に設置され前記路上電気設備の近傍の地下に埋設された配電線から引き出された電源線を収納する脚部と、前記脚部内に配置され予め保存した前記公共表示情報を前記ディスプレイ装置に表示するためのセットトップボックスとを備え、前記電源線は、前記ディスプレイ及び前記セットトップボックスに電源を供給することを特徴とする。
【０００７】
請求項２の発明に係るサイネージ装置は、請求項１の発明において、前記筐体内にネットワークを介してサーバーと通信を行う通信機器を設け、前記通信機器には前記電源線から電源が供給され、前記セットトップボックスは、前記通信機器により前記ネットワークを介してサーバーから受信した公共表示情報を前記ディスプレイ装置に表示することを特徴とする。
【０００８】
請求項３の発明に係るサイネージ装置は、請求項１または請求項２の発明において、前記筐体内にネットワークを介してサーバーと通信を行う通信機器を設けるとともに前記脚部内に環境データ取得装置を設け、前記通信機器及び前記環境データ取得装置には前記電源線から電源が供給され、前記セットトップボックスは、前記環境データ取得装置で取得した環境データを前記通信機器により前記ネットワークを介して前記サーバーに送信することを特徴とする。
【発明の効果】
【０００９】
請求項１の発明によれば、ディスプレイ装置を収納する筐体を路上電気設備の上面に架台を介して取り付け、ディスプレイ装置やセットトップボックスに電源を供給する電源線を収納する脚部を路上電気設備の側面に沿って配置し、脚部には、路上電気設備の近傍の地下に埋設された配電線から電源線を引き出して収納するので、設置スペースや電源の確保を容易にできる。また、路上電気設備に一体構造とするので街の景観を損ねることがない。
【００１０】
請求項２の発明によれば、請求項１の発明の効果に加え、ネットワークを介してサーバー通信を行う通信機器を設けたので、ディスプレイ装置にはネットワークを介してサーバーから受信した公共表示情報も表示できる。
【００１１】
請求項３の発明によれば、請求項１または請求項２の発明の効果に加え、ネットワークを介してサーバーと通信を行う通信機器を設けるとともに環境データ取得装置を設けたので、サイネージ装置の周辺の環境データをサーバーで管理できる。
【図面の簡単な説明】
【００１２】
【図１】本発明の第１実施形態に係るサイネージ装置を路上電気設備に取り付けた一例を示す正面図。
【図２】本発明の第１実施形態に係るサイネージ装置を路上電気設備に取り付けた一例を示す斜視図。
【図３】本発明の第１実施形態に係るサイネージ装置を路上電気設備に取り付けた一例を示す背面図。
【図４】本発明の第１実施形態に係るサイネージ装置を路上電気設備に取り付ける手順を示したフローチャート。
【図５】本発明の第２実施形態に係るサイネージ装置の内部構造の一部を示した側面図。
【発明を実施するための形態】
【００１３】
以下、本発明の実施形態を説明する。図１は本発明の第１実施形態に係るサイネージ装置を路上電気設備に取り付けた一例を示す正面図であり、図１（ａ）は外観正面図、図１（ｂ）は内部構造の一部を示した正面図である。本発明の第１実施形態に係るサイネージ装置は、路上電気設備１１に設置される。路上電気設備１１は、埋設配電線を構成する電気機器、例えば、多回路開閉器、地上変圧器、低圧分岐装置等を収納し地上に設置した電気設備であり、通常、幹線道路の歩道に所定間隔で設置されている。
【００１４】
図１（ａ）に示すように、本発明の第１実施形態に係るサイネージ装置は、路上電気設備１１の上面に配置される筐体１２と、路上電気設備１１の側面に沿って配置される脚部１３を有する。
【００１５】
筐体１２は路上電気設備１１の上面に架台１４を介して取り付けられる。路上電気設備１１の上部には、路上電気設備１１自体を設置する際に取り付けられる吊り具（フック）を装着するためのネジ穴を有しているので、そのネジ穴にボルトを通し架台１４を取り付け、さらに架台１４の上に筐体１２を取り付ける。筐体１２の前面には透明部材１５が配置されており、その透明部材１５の背面にディスプレイ装置１６の表示面が位置するように、筐体１２内にディスプレイ装置１６を収納する。これにより、ディスプレイ装置１６は筐体１２により保護され直接雨水や塵などと接しない。ディスプレイ装置１６は静止画情報や動画情報などの公共表示情報を表示する表示装置であり、例えば液晶表示装置である。
【００１６】
脚部１３は、筐体１２と路上電気設備１１の設置面１７とを繋ぐ構造物であり、内部にディスプレイ装置１６やその他の電気用品に電源を供給する電源線１８が収納される。脚部１３は、路上電気設備１１の側面に沿って配置される。脚部１３の上部は筐体１２に取り付けられ、下部は高さを調整するアジャスター１９を介して路上電気設備１１の設置面１７に設置される。なお、脚部１３の下部には路上電気設備１１の設置面１７と同じ高さになるように脚部設置板２０が設けられている。アジャスター１９は伸縮自在の機能を持ち、高さが異なる地上電気設備１１に適合できるように脚部１３の長さを調整するものである。電源線１８は路上電気設備１１の近傍の地下に埋設された配電線から引き出され、脚部１３の下部に設けられた防水ボックス２１を経由して脚部１３内に導かれる。
【００１７】
図１（ｂ）に示すように、筐体１２の内部には、ディスプレイ装置１６を筐体１２内に固定するための固定金具２２が設けられ、ディスプレイ装置１６は固定金具２２により、ディスプレイ装置１６の表示面が透明部材１５の背面に位置するように筐体１２内に固定される。また、筐体１２内には電源線１８に接続されたＯＡタップ（コンセント）２３が配置され、ディスプレイ装置１６やその他の電気用品に電源が供給される。脚部１３の内部には、公共表示情報をディスプレイ装置１６に表示するためのセットトップボックス２４が配置されている。セットトップボックス２４にはディスプレイ装置１６に表示する公共表示情報が予め保存されている。なお、セットトップボックス２４にもＯＡタップ２３から電源が供給される。
【００１８】
図２は本発明の第１実施形態に係るサイネージ装置を路上電気設備に取り付けた一例を示す斜視図である。図１と同一要素には同一符号を付し重複する説明は省略する。筐体１２は、横の大きさは地上電気設備１１の横幅より脚部１３の幅だけ大きく、奥行きの大きさは地上電気設備１１の奥行きの大きさと同じ大きさに形成される。また、脚部１３の奥行きの大きさは地上電気設備１１の奥行きの大きさと同じ大きさに形成される。これにより、筐体１２は、地上電気設備１１及び脚部１３の上面に収まる大きさなり、地上電気設備１１に取り付けられる構成とするので省スペース化が図れる。
【００１９】
筐体１２の背面には開閉可能な背面扉２５が設けられており、この背面扉２５には給排気ファン２６が設けられている。この給排気ファン２６により筐体１２は吸排気できる構造となっており、外部から筐体１２内に外気を取り入れ、筐体１２内の熱を外部に放出する。給排気ファン２６については後述する。
【００２０】
前述したように、筐体１２の前面には透明部材１５が配置されており、ディスプレイ装置１６は固定金具２２により、透明部材１５の背面にディスプレイ装置１６の表示面が位置するように筐体１２内に配置される。固定金具２２はディスプレイ装置１６の背面を支持する。前述したように、筐体１２の奥行きの大きさは、地上電気設備１１の奥行きの大きさと同じ大きさに形成されるので、筐体１２内のディスプレイ装置１６を支持した固定金具２２の背面には電気用品の設置スペースが確保される。同様に、脚部１３の奥行きの大きさは地上電気設備１１の奥行きの大きさと同じ大きさに形成されるので、脚部１３にも電気用品の設置スペースが確保される。これら電気用品の設置スペースについては後述する。
【００２１】
図３は本発明の第１実施形態に係るサイネージ装置を路上電気設備に取り付けた一例を示す背面図であり、図３（ａ）は外観背面図、図３（ｂ）は内部構造の一部を示した背面図である。図１と同一要素には同一符号を付し重複する説明は省略する。
【００２２】
図３（ａ）、図３（ｂ）において、筐体１２の背面には開閉扉２５が取り付けられており、開閉扉２５には４個の給排気ファン２６が配置されている。上側の給排気ファン２６が排気であり、下側の給排気ファン２６が吸気である。筐体１２内には、図示省略のサーモスタットが配置されており、筐体１２内の温度が予め定めた上限温度を超えると給排気ファン２６が作動し、下側の給排気ファン２６は外部から筐体１２内に外気を取り入れ、上側の給排気ファン２６は筐体１２内の空気を外部に放出する。これは、熱せられた空気は比重が小さくなるからである。このように、筐体内１２ではディジタル表示装置１６が熱を発するので、ディジタル表示装置１６により熱せられた空気を筐体１２の背面から放出する。
【００２３】
図４は、本発明の第１実施形態に係るサイネージ装置を路上電気設備に取り付ける手順を示したフローチャートである。まず、地上電気設備の上部のネジ穴のキャップを外す（Ｓ１)。前述したように、路上電気設備１１の上部には、路上電気設備１１自体を設置する際に取り付けられる吊り具（フック）を装着するためのネジ穴を有しており、そのネジ穴はキャップで覆われて路上電気設備１１は設置されているのでネジ穴のキャップを外す。
【００２４】
そして、地上電気設備の上部のネジ穴にボルトをねじ込みボルトに架台を取り付ける（Ｓ２）。架台１４は筐体１２を地上電気設備１１の上面に設置するにあたり、筐体１２の設置面を平坦にするためである。すなわち、架台１４にて地上電気設備１１の上面の傾きの調整を行う。
【００２５】
次に、筐体内部から固定金具を取り出す（Ｓ３）。筐体１２は地上電気設備１１に取り付けられる以前においては、固定金具２２を内部に収納して保管しているので、筐体１２を地上電気設備１１に取り付けるにあたって、筐体１２内部から固定金具２２を取り出す。そして、ディジタル表示装置に固定金具を取り付ける（Ｓ４）。すなわち、取り出した固定金具２２を筐体１２の外部においてディジタル表示装置１６に取り付ける。
【００２６】
一方、重機で筐体を吊り上げ地上電気設備の上部に設置しボルトで固定する（Ｓ５）。重機で吊り上げた筐体１２は架台１４にボルトで固定される。ボルトでの固定が完了するまでは、筐体１２を重機で吊った状態を維持し筐体１２が落下することを防止する。この状態では、筐体１２の内部にはディジタル表示装置１６は設置されていない。
【００２７】
次に、筐体の背面扉を開き背面からディジタル表示装置を筐体内部に取り付ける（Ｓ６）。筐体１２を地上電気設備１１の上面に取り付けた後に、筐体１２の背面扉２５を開き、筐体１２の背面から、固定金具２２が取り付けられたディジタル表示装置１６を筐体１２内に搬入し、ディジタル表示装置１６を固定金具２２にて筐体１２の内部に取り付ける。
【００２８】
そして、地上電気設備の側面に筐体に沿って筐体に脚部を取り付ける（Ｓ７）。すなわち、脚部１３の上部は筐体１２の下部に取り付けられ、脚部１３の下部は高さを調整するアジャスター１９を介して路上電気設備１１の設置面に設置される。その後に、路上電気設備１１の近傍の地下に埋設された配電線から電源線１８を引き出し、防水ボックス２１を経由して脚部１３内に電源線１８を通す。その電源線１８にＯＡタップ（コンセント）２３を取り付け、ＯＡタップ（コンセント）からセットトップボックス２４やディジタル表示装置１６に電源を供給する。
【００２９】
本発明の第１実施形態によれば、ディスプレイ装置１６を収納する筐体１２を路上電気設備１１の上面に取り付け、電源線１８を収納する脚部１３を路上電気設備１１の側面に沿って配置し、脚部１３には、路上電気設備１１の近傍の地下に埋設された配電線から電源線１８を引き出して収納するので、設置スペースや電源の確保を容易にできる。また、筐体１２及び脚部１３を路上電気設備１１に対して一体構造とするので街の景観を損ねることがない。
【００３０】
また、ディスプレイ装置１６を収納する筐体１２を路上電気設備１１の上面に架台１４を介して取り付けるので、地上電気設備１１の上面に傾きがあったとしても架台１４により筐体１２の設定面を平坦にできる。筐体１２の前面には透明部材１５が配置されており、その透明部材１５の背面にディスプレイ装置１６の表示面が位置するように、筐体１２内に固定金具２２でディスプレイ装置１６を収納するので、ディスプレイ装置１６は筐体１２により保護され直接雨水や塵などと接しない。
【００３１】
また、脚部１３は、アジャスター１９にて路上電気設備１１の設置面の高さに調整できるので、高さの異なる路上電気設備１１に対して適用できる。脚部１３には電気用品の設置スペースが形成されるので、セットトップボックス２４の設置箇所を容易に確保できる。
【００３２】
図５は本発明の第２実施形態に係るサイネージ装置の内部構造の一部を示した側面図である。この第２実施形態は、図１乃至図４に示した第１実施形態に対し、筐体１１内にネットワークを介してサーバーと通信を行う通信機器２７を設けるとともに脚部内に複数の環境データ取得装置２８を設け、セットトップボックス２４は、予め保存した公共表示情報、または、通信機器２７によりネットワークを介してサーバーから受信した公共表示情報をディスプレイ装置１６に表示し、環境データ取得装置２８で取得した環境データを通信機器２７によりネットワークを介してサーバーに送信するようにしたものである。図１乃至図４と同一要素には同一符号を付し重複する説明は省略する。
【００３３】
前述したように、筐体１２の奥行きの大きさは、地上電気設備１１の奥行きの大きさと同じ大きさに形成されるので、筐体１２内には電気用品の設置スペースが確保され、同様に、脚部１３の奥行きの大きさは地上電気設備１１の奥行きの大きさと同じ大きさに形成されるので、脚部１３にも電気用品の設置スペースが確保される。
【００３４】
そこで、筐体１２内のディスプレイ装置１６を支持した固定金具２２の背面に形成された電気用品の設置スペースに、ネットワークを介してサーバーと通信を行う通信機器２７を設ける。この場合、無線通信となる場合は、通信機器２７が配置された位置の筐体１２内部の側面を金属ではなくアクリル板にして横方向に電波が出る構造とする。
【００３５】
通信機器２７は、サーバーからの静止画情報や動画情報などの公共表示情報に加え、衛星放送やケーブルテレビの放送信号の静止画情報や動画情報などの公共表示情報を受信してセットトップボックス２４によりディスプレイ装置１６に表示する。これにより、セットトップボックス２４に予め保存した公共表示情報だけでなく、サーバーや衛星放送やケーブルテレビからの静止画情報や動画情報などの公共表示情報も表示できる。
【００３６】
また、脚部１３に形成された電気用品の設置スペースに、環境データ取得装置２８を設ける。環境データ取得装置２８は、例えば、NOx濃度を検出するNOx濃度検出器、CO2濃度を検出するCO2濃度検出器、気温を検出する温度計、照度を検出する照度計、音を検出するマイク、周囲の映像を撮影するカメラなどであり、これら環境データ取得装置２８で検出されたNOx濃度、CO2濃度、気温、照度、音情報、映像情報などの環境情報は、通信機器２７によりネットワークを介してサーバーに送信される。これにより、サイネージ装置の周辺の環境データをサーバーで管理できる。路上電気設備１１は、通常、幹線道路の歩道に所定間隔で設置されているので、すべての路上電気設備１１にサイネージ装置を設置した場合には、路上電気設備１１の間隔で環境データを取得できる。１つおき２つおきの路上電気設備１１にサイネージ装置を設置した場合でも、全体としてその地域のバランスの取れた環境データを得ることができる。
【００３７】
以上の説明では、脚部１３内に環境データ取得装置２８を設け、セットトップボックス２４は、環境データ取得装置２８で取得した環境データを通信機器２７によりネットワークを介してサーバーに送信するようにした場合を示したが、脚部１３内に必ずしも環境データ取得装置２８を設ける必要はない。環境データ取得装置２８を設けない場合は、セットトップボックス２４は、予め保存した公共表示情報、または、通信機器２７によりネットワークを介してサーバーから受信した公共表示情報をディスプレイ装置１６に表示することになる。
【００３８】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３９】
１１…路上電気設備、１２…筐体、１３…脚部、１４…架台、１５…透明部材、１６…ディスプレイ装置、１７…設置面、１８…電源線、１９…アジャスター、２０…脚部設置板、２１…防水ボックス、２２…固定金具、２３…ＯＡタップ、２４…セットトップボックス、２５…背面扉、２６…給排気ファン、２７…通信機器、２８…環境データ取得装置
【図１】
2018010241.tif 000003
【図２】
2018010241.tif 000004
【図３】
2018010241.tif 000005
【図４】
2018010241.tif 000006
【図５】
2018010241.tif 000007